(57)【要約】【課題】光学的情報記録媒体にアンテナコイルと集積回路素子を搭載する際にアンテナコイルを変形、断線させる恐れがある。【解決手段】所定の厚さの平板である基板と、反射膜と、集積回路素子と、電磁誘導によって外部から送信される信号を受信し前記集積回路素子に信号を供給かつ／あるいは前記集積回路素子からの信号を外部に送信するアンテナコイルとを備え、前記アンテナコイルは前記反射膜と同一材料で前記基板上に形成されたことを特徴とする。【選択図】図２
2005032392.tif 000002
【特許請求の範囲】
【請求項１】
所定の厚さの平板である基板と、反射膜と、集積回路素子と、電磁誘導によって外部から送信される信号を受信し前記集積回路素子に信号を供給かつ／あるいは前記集積回路素子からの信号を外部に送信するアンテナコイルとを備え、前記アンテナコイルは前記反射膜と同一材料で前記基板上に形成されたことを特徴とする光学的情報記録媒体。
【請求項２】
所定の厚さの平板である基板と、反射膜と、集積回路素子と、電磁誘導によって外部から送信される信号を受信し前記集積回路素子に信号を供給かつ／あるいは前記集積回路素子からの信号を外部に送信するアンテナコイルとを備え、前記アンテナコイルは前記基板上に蒸着によって形成されたことを特徴とする請求項１記載の光学的情報記録媒体。
【請求項３】
所定の厚さの平板である基板と、集積回路素子と、前記基板上に突起部が成型されており、前記突起部上に導電体を固着し電磁誘導によって外部から送信される信号を受信し前記集積回路素子に信号を供給かつ／あるいは前記集積回路素子からの信号を外部に送信するアンテナコイルを形成したことを特徴とする光学的情報記録媒体。
【請求項４】
所定の厚さの平板である基板と、集積回路素子と、前記基板上に溝部が成型されており、前記溝部上に導電体を固着し電磁誘導によって外部から送信される信号を受信し前記集積回路素子に信号を供給かつ／あるいは前記集積回路素子からの信号を外部に送信するアンテナコイルを形成したことを特徴とする光学的情報記録媒体。
【請求項５】
前記基板上に反射膜を備え、前記導電体は前記反射膜と同一材料で形成されたことを特徴とする請求項３または請求項４記載の光学的情報記録媒体。
【請求項６】
光学的情報記録媒体の製造方法であって、
射出成型により表面の所定の位置にピットを有する基板を成型する工程、
前記基板表面に形成されたピット上とアンテナコイルが形成される部分に同一材料の導電体膜を前記基板上に直接形成し、形成した反射膜をアンテナコイル、反射膜とする工程、
前記アンテナコイルに相当する導電体膜の上に集積回路素子を搭載する工程、および
前記アンテナコイルに相当する導電体膜、前記集積回路素子、前記反射膜に相当する導電体膜上を覆うように前記基板上に保護膜を形成する工程を有する光学的情報記録媒体の製造方法。
【請求項７】
前記基板表面に形成されたピット上とアンテナコイルが形成される部分に導電体膜を前記基板上に直接形成し、前記形成した導電体膜をアンテナコイル、反射膜とする工程において前記アンテナコイルに相当する導電体、前記反射膜に相当する導電体膜は蒸着により同時に形成されることを特徴とする請求項６に記載の光学的情報記録媒体の製造方法。
【請求項８】
射出成型により表面の所定の位置にピットを有する基板を成型する工程において、アンテナコイルが形成される部分に突起部を有する基板を成形し、
前記基板表面に形成されたピット上とアンテナコイルが形成される部分に導電体膜を前記基板上に直接形成し、前記形成した導電体膜をアンテナコイル、反射膜とする工程において、前記アンテナコイルに相当する導電体膜を転写により突起部の上に形成する請求項６に記載の光学的情報記録媒体の製造方法。
【請求項９】
射出成型により表面の所定の位置にピットを有する基板を成型する工程において、アンテナコイルが形成される部分に溝部を有する基板を成形し、
前記基板表面に形成されたピット上とアンテナコイルが形成される部分に導電体膜を前記基板上に直接形成し、前記形成した導電体膜をアンテナコイル、反射膜とする工程において、前記溝部に粘性体状の導電体を流入させた後に硬化させることにより前記溝部に前記アンテナコイルに相当する導電体膜を形成する請求項６に記載の光学的情報記録媒体の製造方法。
【発明の詳細な説明】
【技術分野】
【０００１】
本発明は、光学的情報記録媒体およびその製造方法に関するものである。
【背景技術】
【０００２】
ＣＤやＤＶＤなどの光学的情報記録媒体はプログラムやデータの記録媒体として広く使われている。光学的情報記録媒体はデータをピットという凹部を設けることにより記録されているが、ピットはスタンパを用いて樹脂の射出成型により基板に設けられるので、多くの光学的情報記録媒体を製造するときすべて同一の情報が記録されることとなる。またデータの書き換えが可能な光学的情報記録媒体への複製が容易であるため違法なコピー製品が作られる恐れがある。これを防止するために記録媒体に集積回路素子とアンテナコイルを設け、集積回路素子内に記録媒体を特定するデータやセキュリティデータを記憶させ、外部とのデータの送受信を行い複製を防止する技術などが知られている。
【０００３】
従来の光学的情報記録媒体は、基板内にアンテナコイルと集積回路素子を埋設したり、基板上に別体として用意したアンテナコイルと集積回路素子を搭載し樹脂にて封止する構成である（例えば特許文献１参照）。
【特許文献１】特開平１１−１６１５５１号公報（図２、図３）
【発明の開示】
【発明が解決しようとする課題】
【０００４】
しかし、光学的情報記録媒体に搭載するアンテナコイルは薄く剛性が小さいばかりか、別体として用意したアンテナコイルを基板上に配置した上で、埋設したり基板上に樹脂によって封止する時にアンテナコイルを変形させたり断線させたりする恐れがある。
【０００５】
本発明は上記課題に鑑み、基板上にアンテナコイルの変形、断線などの破損を起こすことなく高精度に形成することが可能な光学的情報記録媒体を提供するものである。
【課題を解決するための手段】
【０００６】
本発明の光学的情報記録媒体は所定の厚さの平板である基板と、反射膜と、集積回路素子と、電磁誘導によって外部から送信される信号を受信し集積回路素子に信号を供給かつ／あるいは集積回路素子からの信号を外部に送信するアンテナコイルとを備え、前記アンテナコイルは前記反射膜と同一材料で前記基板上に形成されたことを特徴とする。
【０００７】
また、所定の厚さの平板である基板と、反射膜と、集積回路素子と、電磁誘導によって外部から送信される信号を受信し前記集積回路素子に信号を供給かつ／あるいは前記集積回路素子からの信号を外部に送信するアンテナコイルとを備え、前記アンテナコイルは前記基板上に蒸着によって形成されたことを特徴とする。
【０００８】
本発明の光学的情報記録媒体は所定の厚さの平板である基板と、集積回路素子と、前記基板上に突起部が成型されており、前記突起部上に導電体を固着し電磁誘導によって外部から送信される信号を受信し前記集積回路素子に信号を供給かつ／あるいは前記集積回路素子からの信号を外部に送信するアンテナコイルを形成したことを特徴とする。
【０００９】
本発明の光学的情報記録媒体は所定の厚さの平板である基板と、集積回路素子と、前記基板上に溝部が成型されており、前記溝部上に導電体を固着し電磁誘導によって外部から送信される信号を受信し前記集積回路素子に信号を供給かつ／あるいは前記集積回路素子からの信号を外部に送信するアンテナコイルを形成したことを特徴とする。
【００１０】
また、前記基板上に反射膜を備え、前記導電体は前記反射膜と同一材料で形成されたことを特徴とする。
【００１１】
本発明の光学的情報記録媒体の製造方法は、射出成型により表面の所定の位置にピットを有する基板を成型する工程、前記基板表面に形成されたピット上とアンテナコイルが形成される部分に同一材料の導電体膜を前記基板上に直接形成し、形成した反射膜をアンテナコイル、反射膜とする工程、前記アンテナコイルに相当する導電体膜の上に集積回路素子を搭載する工程、および前記アンテナコイルに相当する導電体膜、前記集積回路素子、前記反射膜に相当する導電体膜上を覆うように前記基板上に保護膜を形成する工程を有する。
【００１２】
また、前記基板表面に形成されたピット上とアンテナコイルが形成される部分に導電体膜を前記基板上に直接形成し、前記形成した導電体膜をアンテナコイル、反射膜とする工程において前記アンテナコイルに相当する導電体、前記反射膜に相当する導電体膜は蒸着により同時に形成されることを特徴とする。
【００１３】
また、射出成型により表面の所定の位置にピットを有する基板を成型する工程において、アンテナコイルが形成される部分に突起部を有する基板を成形し、前記基板表面に形成されたピット上とアンテナコイルが形成される部分に導電体膜を前記基板上に直接形成し、前記形成した導電体膜をアンテナコイル、反射膜とする工程において、前記アンテナコイルに相当する導電体膜を転写により突起部の上に形成する。
【００１４】
また、射出成型により表面の所定の位置にピットを有する基板を成型する工程において、アンテナコイルが形成される部分に溝部を有する基板を成形し、前記基板表面に形成されたピット上とアンテナコイルが形成される部分に導電体膜を前記基板上に直接形成し、前記形成した導電体膜をアンテナコイル、反射膜とする工程において、前記溝部に粘性体状の導電体を流入させた後に硬化させることにより前記溝部に前記アンテナコイルに相当する導電体膜を形成する。
【発明の効果】
【００１５】
本発明は、蒸着または転写により基板の上に直接アンテナコイルを形成するようにしたので、基板上に変形、断線などの破損を起こすことなく高精度かつ容易にアンテナコイルを形成することができるため、集積回路素子を搭載しアンテナコイルを媒介し記録媒体の個別データやセキュリティ情報の送受信により、記録されたデータの複製の防止やデータの使用を制限するなど多機能な光学的情報記録媒体が得られる。
【００１６】
本発明の光学的情報記録媒体の製造方法は、光学的情報記録媒体の製造方法であって、射出成型により表面の所定の位置にピットを有する基板を成型する工程、前記基板表面に形成されたピット上とアンテナコイルが形成される部分に同一材料の導電体膜を前記基板上に直接形成し、形成した反射膜をアンテナコイル、反射膜とする工程、前記アンテナコイルに相当する導電体膜の上に集積回路素子を搭載する工程、および前記アンテナコイルに相当する導電体膜、前記集積回路素子、前記反射膜に相当する導電体膜上を覆うように前記基板上に保護膜を形成する工程を有するので、基板の上に直接導電体膜を形成するようにしたので、基板上に変形、断線などの破損を起こすことなく高精度かつ容易にアンテナコイルを形成することができるため、集積回路素子を搭載しアンテナコイルを媒介し記録媒体の個別データやセキュリティ情報の送受信により、記録されたデータの複製の防止やデータの使用を制限するなど多機能な光学的情報記録媒体が容易に製造できる。
【発明を実施するための最良の形態】
【００１７】
以下、本発明の実施の形態について、図面を参照しながら説明する。
【００１８】
（実施の形態１）
図１は光学的情報記録媒体を示す平面図、図２はその断面図である。図１、図２において、１はポリカーボネイトなどの樹脂にて成型された円盤状の基板であり、一方の面１ａにはピット（図示せず）が成型されている。ピットが形成された面１ａ上には反射膜２が形成されており、その上に保護膜３が形成されている。基板１の面１ａ上の中心近傍には反射膜２と同一材料でアンテナコイル４が形成されている。また基板１上には集積回路素子５が搭載されておりアンテナコイル４の端部と繋がっている。これらの基本的な構成は従来のものと同等である。
【００１９】
本実施の形態１の光学的記情報録媒体の製造工程を図３に示す。図３において、まず射出成型によって円盤状の基板１が成型される（図３（ａ））。成型時に面１ａ上にはピットが形成されている。面１ａ上のピットが形成された部分とアンテナコイル形状を残すように面１ａ上にマスキング（図示せず）を行い、基板１の面１ａ上にアルミなどの導電体膜を蒸着により固着させ、反射膜２とアンテナコイル４を同時に形成する（図３（ｂ））。基板１上に集積回路素子５を搭載し、保護膜３を塗布する（図３（ｃ））。
【００２０】
集積回路素子５はアンテナコイル４を媒介して電磁誘導によって外部から送信される信号を受信し、電力の供給を受けるとともにデータの送受信を行う。
【００２１】
本実施の形態により基板１上に直接アンテナコイル４が蒸着により固着されるので変形や断線などを起こすことなく形成することが可能である。また、反射膜２と同時に形成されるので低コストなアンテナコイルの構成が可能である。
【００２２】
（実施の形態２）
図４は光学的情報記録媒体を示す断面図である。図４において、１はポリカーボネイトなどの樹脂にて成型された円盤状の基板であり、一方の面１ａにはピット（図示せず）が成型されている。ピットが形成された面１ａ上には反射膜２が形成されており、その上に保護膜３が形成されている。基板１の中心近傍には基板１を成型する際にピットと同時に突起部１ｂが成型されている。この突起部１ｂはアンテナコイル４の形状になっている。突起部１ｂの上に銅などの導電体が固着されておりアンテナコイル４を形成している。また基板１上には集積回路素子５が搭載されておりアンテナコイル４の端部と繋がっている。これらの基本的な構成は従来のものと同等である。
【００２３】
本実施の形態２の光学的情報記録媒体の製造工程を図５に示す、図５において、まず射出成型によって円盤状の基板１が成型される。成型時に面１ａ上にアンテナコイル４を形成する部分には突起部１ｂが形成されている（図５（ａ））。面１ａ上のピットが形成された部分には導電体膜を蒸着させるかまたは転写により粘性体状の導電体を付着させた後に硬化させ反射膜を形成し、転写により粘性体状の導電体を突起部１ｂ上に付着させた後に硬化させアンテナコイル４を形成する（図５（ｂ）、（ｃ））。基板１上に集積回路素子４を搭載し、保護膜３を塗布する（図５（ｄ））。
【００２４】
なお、本実施の形態２では面１ａ上に突起部１ｂを設けたが、アンテナコイル４を形成する部分の両側に溝を形成することにより図６に示すように面１ａより低い面上に突起部１ｂを設けることによりアンテナコイル４の面１ａからの突出量を小さくすることが可能である。このようにすると集積回路素子４を基板１により近づけることができるようになるため光学的記情報録媒体の厚さをより薄くすることができるようになる。
【００２５】
なお、本実施の形態２ではピットが形成された面１ａ上に突起部１ｂおよびアンテナコイル４を設けたが、面１ａと相対する裏面上に設けてもよい。
【００２６】
なお、本実施の形態２では銅などの導電体でアンテナコイル４を形成したが反射層２と同一材料で形成しても良い。
【００２７】
本実施の形態により基板１上に直接アンテナコイル４が固着されるので変形や断線などを起こすことなく形成することが可能である。また、基板１上にアンテナコイル４の形状が構成されているのでアンテナコイル４が変形することもない。
【００２８】
（実施の形態３）
図７は光学的情報記録媒体を示す断面図である。図７において、１はポリカーボネイトなどの樹脂にて成型された円盤状の基板であり、一方の面１ａにはピットが成型されている。ピットが形成された面１ａ上には反射膜２が形成されており、その上に保護膜３が形成されている。基板１の中心近傍には基板１を成型する際にピットと同時に溝部１ｃが形成されている。この溝部１ｃはアンテナコイル４の形状になっている。溝部１ｃの上に銅などの導電体が固着されておりアンテナコイル４が形成されている。また基板１上には集積回路素子５が搭載されておりアンテナコイル４の端部と繋がっている。
【００２９】
本実施の形態３の光学的情報記録媒体の製造工程を図８に示す。図８において、まず射出成型によって円盤状の基板１が成型される。成型時に面１ａ上にアンテナコイル４と同一形状の溝部１ｃが形成されている（図８（ａ））。粘性体状の導電体を溝部１ｃに流入させた後に硬化させ、アンテナコイル４を形成する（図８（ｂ）、（ｃ））。基板１上に集積回路素子５を搭載し、保護膜３を塗布する（図８（ｄ））。
【００３０】
なお、本実施の形態３ではピットを形成した面１ａ上に溝部１ｃおよびアンテナコイル４を設けたが、面１ａと相対する裏面上に設けてもよい。
【００３１】
なお、本実施の形態３では銅などの導電体でアンテナコイル４を形成したが反射層２と同一材料で形成しても良い。
【００３２】
なお、本実施の形態３では粘性体状の導電体にてアンテナコイル４を形成したが、予め溝部１ｃと同一形状に形成した導電体を溝部１ｃ内に挿入、固着させても良い。
【００３３】
本実施の形態により基板１上に直接アンテナコイル４が固着されるので変形や断線などを起こすことなく形成することが可能である。また、基板１上にアンテナコイル４の形状が構成されているのでアンテナコイル４が変形することもない。
【００３４】
なお、本実施の形態１、２および３ではアンテナコイルは基板の中心近傍に基板と同心円状に配置しているが図９に示すように非同心円状に配置してもよい。つまり、アンテナコイル４は図１に示すように外周（または内周）に相似する円状のパターンとしたが、図９に示すように一部の領域（内周部分の半円領域）に環状となるようなパターンであってもよい。
【００３５】
なお、本実施の形態１、２および３では基板は円盤状であるが長方形など他の形状であってもよい。
【００３６】
なお、本実施の形態１、２および３ではアンテナコイルおよび集積回路素子は基板の中心近傍に配置しているが基板の外周近傍に配置してもよい。
【００３７】
なお、本実施の形態１、２および３では基板は１枚であるが複数枚の基板を貼り合わせた構成であってもよい。
【産業上の利用可能性】
【００３８】
本発明は、光学的情報記録媒体およびその製造方法は、光学情報を記録／再生するための情報処理装置に用いる光学的情報記録媒体、この光学的情報記録媒体を製造するための装置への適用が可能である。
【図面の簡単な説明】
【００３９】
【図１】本発明の実施の形態１による光学的情報記録媒体を示す平面図
【図２】本発明の実施の形態１による光学的情報記録媒体を示す断面図
【図３】本発明の実施の形態１による光学的情報記録媒体の製造工程を示す図
【図４】本発明の実施の形態２による光学的情報記録媒体を示す断面図
【図５】本発明の実施の形態２による光学的情報記録媒体の製造工程を示す図
【図６】本発明の実施の形態２による光学的情報記録媒体の他の例を示す断面図
【図７】本発明の実施の形態３による光学的情報記録媒体を示す断面図
【図８】本発明の実施の形態３による光学的情報記録媒体の製造工程を示す図
【図９】本発明の実施の形態３による光学的情報記録媒体の他の例を示す平面図
【符号の説明】
【００４０】
１    基板
２    反射膜
３    保護膜
４    アンテナコイル
５    集積回路素子
【図１】
2005032392.tif 000003
【図２】
2005032392.tif 000004
【図３】
2005032392.tif 000005
【図４】
2005032392.tif 000006
【図５】
2005032392.tif 000007
【図６】
2005032392.tif 000008
【図７】
2005032392.tif 000009
【図８】
2005032392.tif 000010
【図９】
2005032392.tif 000011